(57)【要約】【課題】本発明は、緩衝作用を必要としない場合にダンパー部材の代わりに回転軸となる専用の部材を別途準備する必要がなく、便蓋を外して使用する場合に便蓋の取付けのがたつきが起こることがなく、外観上の見栄えも良好にする。【解決手段】便器本体１のヒンジ部３において、角棒状の回転軸２１を差し出した左右一対のダンパー部材２２を着脱可能に並設し、該回転軸２１に密嵌する角軸孔２５を有する軸ピン部材２４を嵌着し、該軸ピン部材２４の一部を角筒部２７とし、該軸ピン部材２４を該本体１の軸受け部８に回転可能に支持し、該便座５の一方の軸受けブラケット１０に該角筒部２７に密嵌する角軸孔２８を設け、該他方の軸受けブラケット１０に丸軸孔２９を設け、該便蓋６の一方の軸受けブラケット１２に丸軸孔３０を設け、該便蓋６の他方の軸受けブラケット１２に該角筒部２７に密嵌する角軸孔３１を設ける。【選択図】    図７
2006094997.tif 000002
【特許請求の範囲】
【請求項１】
便器本体または便器用椅子の本体上面後端のヒンジ部に便座と便蓋とを蝶着した便座および便蓋の蝶着機構であって、
該ヒンジ部にあっては、左方に角棒状の回転軸を差し出した左側ダンパー部材と、右方に角棒状の回転軸を差し出した右側ダンパー部材とが着脱可能に並設され、該左右一対のダンパー部材の回転軸には、該回転軸に密嵌する角軸孔を有する軸ピン部材がそれぞれ嵌着され、該軸ピン部材の少なくとも一部は角筒部とされており、更に、該軸ピン部材は該本体上面後端の軸受け部にそれぞれ回転可能に支持されており、
一方、該便座および該便蓋の後端には左右一対の軸受けブラケットがそれぞれ差し出されており、該便座の一方の軸受けブラケットには、該軸ピン部材の角筒部に密嵌する角軸孔が設けられており、該他方の軸受けブラケットには、該軸ピン部材の角筒部の最大幅に略等しい径の丸軸孔が設けられており、また、該便座の角軸孔を設けた軸受けブラケット側において該便蓋の軸受けブラケットには、該軸ピン部材の角筒部の最大幅に略等しい径の丸軸孔が設けられ、その反対側において該便蓋の軸受けブラケットには該軸ピン部材の角筒部に密嵌する角軸孔が設けられており、
そして、該便座および該便蓋は、該左右一対のダンパー部材のいずれかにより該軸ピン部材と該角軸孔を設けた軸受けブラケットを介して跳ね上げ状態から倒した状態にする方向にそれぞれ緩衝されており、該緩衝作用を必要としない場合には、該左右一対のダンパー部材を該ヒンジ部から取り外すことを特徴とする便座および便蓋の蝶着機構。
【発明の詳細な説明】
【技術分野】
【０００１】
本発明は、便器や簡易便器または便器用椅子に使用される便座および便蓋の蝶着機構に関する。
【背景技術】
【０００２】
従来、便座および便蓋の蝶着機構として、便座と便蓋とがその根端において携帯用便器の便器本体の上面後縁のヒンジ機構によって枢着されており、該ヒンジ機構において該便器本体側では基台の上面に左右一対の軸受が設けられ、該軸受にはダンパーが挿着されており、そして、該便座または該便蓋の一方と該基台の軸受とをダンパーの軸によって結合し、該便座を閉めるときに該便座の回動を緩速して、最後まで手を添える必要をなくしたものが一般に提供されている（特許文献１参照）。
【０００３】
【特許文献１】特許第３４４３３２０号公報（第２−３頁、第４図）
【発明の開示】
【発明が解決しようとする課題】
【０００４】
しかしながら上記従来の構成では、ダンパーが便座または便蓋の回転軸としての役割を兼ねているので、便座の回動を緩速する必要がない場合、すなわちダンパーを使用しない場合には、ダンパーの代わりに回転軸となる軸ピンを別途準備する必要があるという問題があった。
また、便器用椅子の場合には使用者は便蓋を取り外して使用することも少なくないが、上記従来の構成では、便蓋を外して使用する場合に、便蓋を取り外した分だけ軸受の部分に隙間が生じることになり、該隙間の分だけ便蓋の取付けのがたつきが大きくなるという問題があった。
【課題を解決するための手段】
【０００５】
本発明は上記従来の課題を解決するための手段として、便器本体１または便器用椅子３２の本体３３上面後端のヒンジ部３に便座５と便蓋６とを蝶着した便座５および便蓋６の蝶着機構であって、該ヒンジ部３にあっては、左方に角棒状の回転軸２１を差し出した左側ダンパー部材２２と、右方に角棒状の回転軸２１を差し出した右側ダンパー部材２２とが着脱可能に並設され、該左右一対のダンパー部材２２の回転軸２１には、該回転軸２１に密嵌する角軸孔２５を有する軸ピン部材２４がそれぞれ嵌着され、該軸ピン部材２４の少なくとも一部は角筒部２７とされており、更に、該軸ピン部材２４は該本体１，３３上面後端の軸受け部８にそれぞれ回転可能に支持されており、一方、該便座５および該便蓋６の後端には左右一対の軸受けブラケット１０，１２がそれぞれ差し出されており、該便座５の一方の軸受けブラケット１０には、該軸ピン部材２４の角筒部２７に密嵌する角軸孔２８が設けられており、該他方の軸受けブラケット１０には、該軸ピン部材２４の角筒部２７の最大幅に略等しい径の丸軸孔２９が設けられており、また、該便座５の角軸孔２８を設けた軸受けブラケット１０側において該便蓋６の軸受けブラケット１２には、該軸ピン部材２４の角筒部２７の最大幅に略等しい径の丸軸孔３０が設けられ、その反対側において該便蓋６の軸受けブラケット１２には該軸ピン部材２４の角筒部２７に密嵌する角軸孔３１が設けられており、そして、該便座５および該便蓋６は、該左右一対のダンパー部材２２のいずれかにより該軸ピン部材２４と該角軸孔２８，３１を設けた軸受けブラケット１０，１２を介して跳ね上げ状態から倒した状態にする方向にそれぞれ緩衝されており、該緩衝作用を必要としない場合には、該左右一対のダンパー部材２２を該ヒンジ部３から取り外す便座５および便蓋６の蝶着機構を提供するものである。
【発明の効果】
【０００６】
本発明の便座５および便蓋６の蝶着機構では、左右一対のダンパー部材２２と軸ピン部材２４がそれぞれ別部材なので、緩衝作用を必要としない場合には、該左右一対のダンパー部材２２を該ヒンジ部３から取り外せばよく、該ダンパー部材２２の代わりに回転軸となる専用の部材を別途準備する必要がない。
また、便蓋６を外して使用する場合には、便蓋６を取り外した分だけ軸ピン部材２４を押し込むことができる。したがって、軸受の部分に隙間が生じることがなく、便蓋６の取付けのがたつきが起こることがなく、その上、外観上の見栄えも良好である。
【発明を実施するための最良の形態】
【０００７】
以下、本発明を実施例１および実施例２により詳細に説明する。
【実施例１】
【０００８】
本発明を図１〜図１０に示す一実施例によって説明する。
図１および図２に示すように、便器本体１の上面に載置される便座装置２は、上面後端部にヒンジ部３を有する便座装置本体４と、該ヒンジ部３に蝶着される便座５と便蓋６とからなる。
該便座装置本体４の中央部には開口部７が設けられており、また、該便座装置本体４の上面後端にはヒンジ部３の両側において左右一対の軸受け部８が設けられている。
一方、該便座５の中央部には開口部９が設けられており、該便座５の後端部からは左右一対の軸受けブラケット１０が差し出されている（図５参照）。
更に、該便蓋６の周縁部からはフランジ１１が垂設されており、また、該便蓋６の後縁からは左右一対の軸受けブラケット１２が差し出されている（図５参照）。
【０００９】
図３に示すように、該便座装置本体４のヒンジ部３は、左右一対の収容凹部１３を有するダンパーケース１４と、該ダンパーケース１４に覆着される断面逆Ｕ字状のカバー１５とからなる。
該ダンパーケース１４の収容凹部１３および該カバー１５の内周面には左右一対の内側係止リブ１６と外側係止リブ１７がそれぞれ凸設されており、また、該収容凹部１３の中央部には前後一対の回り止め突片１８が設けられている。更に、該ダンパーケース１４の周辺の四隅には係止孔１９が設けられており、該カバー１５の下辺部の四隅からは係止爪２０が垂設されており、該係止爪２０が該係止孔１９の周縁に係止して該カバー１５が該ヒンジ部３から外れるのを防止できるようにされている。
【００１０】
図３および図４に示すように、該ダンパーケース１４の左側の収容凹部１３には、左方に角棒状の回転軸２１を差し出した左側ダンパー部材２２が着脱自在に収容されており、該ダンパーケース１４の右側の収容凹部１３には、右方に角棒状の回転軸２１を差し出した右側ダンパー部材２２が着脱自在に収容されている。該左右一対のダンパー部材２２の中央側には回り止め凸部２３が設けられており、該回り止め凸部２３が該収容凹部１３の回り止め突片１８に当接して、該ダンパー部材２２自体が該収容凹部１３内で回転するのを防止できるようにされている。
【００１１】
図３に示すように、該左右一対のダンパー部材２２の角棒状の回転軸２１には左右一対の軸ピン部材２４がそれぞれ嵌着されている。該軸ピン部材２４の内側先端部には該ダンパー部材２２の回転軸２１に密嵌する角軸孔２５が設けられており、該角軸孔２５の周縁には係止爪部２６が周設されている。また、該軸ピン部材２４の中央部は角筒部２７とされており、更に、該軸ピン部材２４は該便座装置本体４の上面後端の軸受け部８にそれぞれ回転可能に支持されている。
【００１２】
図５に示すように、該便座５の右側の軸受けブラケット１０には、該軸ピン部材２４の角筒部２７に密嵌する角軸孔２８が設けられており、該便座５の左側の軸受けブラケット１０には、該軸ピン部材２４の角筒部２７の最大幅に略等しい径の丸軸孔２９が設けられている（図７および図８参照）。
また、該便蓋６の右側の軸受けブラケット１２には、該軸ピン部材２４の角筒部２７の最大幅に略等しい径の丸軸孔３０が設けられており、該便蓋６の左側の軸受けブラケット１２には、該軸ピン部材２４の角筒部２７に密嵌する角軸孔３１が設けられている（図７および図８参照）。
【００１３】
上記のような便座５および便蓋６の蝶着機構を構築する場合、すなわち、便座装置本体４に便座５および便蓋６を取り付ける場合には、図４に示すように、まず、該便座装置本体４のヒンジ部３のダンパーケース１４の左右一対の収容凹部１３に左右一対のダンパー部材２２をそれぞれ取り付けて収容し、その後、該ダンパーケース１４にカバー１５を覆着する（図５参照）。
このとき、該ダンパー部材２２の回り止め凸部２３が該収容凹部１３の回り止め突片１８に当接して、該ダンパー部材２２自体が該収容凹部１３内で回転するのが防止されている。また、図７に示すように、該ダンパー部材２２の外側角部は該収容凹部１３および該カバー１５の内側係止リブ１６に係止されており、該ダンパー部材２２が左右外側に抜け出るのが防止されている。更に、図８に示すように、該カバー１５の係止爪２０が該係止孔１９の周縁に係止して、該カバー１５が該ヒンジ部３から外れるのが防止されている。
【００１４】
次に、図５に示すように、該便座装置本体４のヒンジ部３と左右一対の軸受け部８との間に便座５の左右一対の軸受けブラケット１０をそれぞれ嵌着し、更に、該左右一対の軸受け部８の外側に便蓋６の左右一対の軸受けブラケット１２をそれぞれ嵌着する。
そして、図６に示すように、左右一対の軸ピン部材２４を、該便蓋６の軸受けブラケット１２、該軸受け部８、該便座５の軸受けブラケット１０を介して、該左右一対のダンパー部材２２の回転軸２１にそれぞれ外側から嵌着する。
このようにして、上記の便座５および便蓋６の蝶着機構では、便座装置本体４への便座５および便蓋６の取付け作業または取外し作業を容易に行うことができる。
【００１５】
このとき、便座５の右側の軸受けブラケット１０の角軸孔２８には右側の軸ピン部材２４の角筒部２７が密嵌しており、該軸ピン部材２４の角軸孔２５は該右側ダンパー部材２２の回転軸２１に密嵌しているので、該便座５は該右側ダンパー部材２２によって跳ね上げ状態から倒した上体にする方向に緩衝されている。ここで、便蓋６の右側の軸受けブラケット１２には該軸ピン部材２４の角筒部２７の最大幅に略等しい径の丸軸孔３０が設けられているので、該丸軸孔３０の中で該右側の軸ピン部材２４は空転することとなる。
一方、便蓋６の左側の軸受けブラケット１２の角軸孔３１には左側の軸ピン部材２４の角筒部２７が密嵌しており、該軸ピン部材２４の角軸孔２５は該左側ダンパー部材２２の回転軸２１に密嵌しているので、該便蓋６は該左側ダンパー部材２２によって跳ね上げ状態から倒した上体にする方向に緩衝されている。ここで、便座５の左側の軸受けブラケット１０には該軸ピン部材２４の角筒部２７の最大幅に略等しい径の丸軸孔２９が設けられているので、該丸軸孔２９の中で該左側の軸ピン部材２４は空転することとなる。
また、図７に示すように、該軸ピン部材２４の先端の係止爪部２６は該収容凹部１３および該カバー１５の外側係止リブ１７に係止されており、該軸ピン部材２４が左右外側に抜け出るのが防止されている。
【００１６】
上記のような便座５および便蓋６の蝶着機構において緩衝作用を必要としない場合には、図９に示すように、該左右一対のダンパー部材２２を該ヒンジ部３から取り外す。すなわち、該便座装置本体４のヒンジ部３のダンパーケース１４の左右一対の収容凹部１３に左右一対のダンパー部材２２を取り付けることなく、該ダンパーケース１４にカバー１５を覆着する。
このとき、該カバー１５の係止爪２０は該係止孔１９の周縁に係止して、該カバー１５が該ヒンジ部３から外れるのが防止されている。
【００１７】
次に、該便座装置本体４のヒンジ部３と左右一対の軸受け部８との間に便座５の左右一対の軸受けブラケット１０をそれぞれ嵌着し、更に、該左右一対の軸受け部８の外側に便蓋６の左右一対の軸受けブラケット１２をそれぞれ嵌着して、最後に、左右一対の軸ピン部材２４を、該便蓋６の軸受けブラケット１２、該軸受け部８、該便座５の軸受けブラケット１０を介して、該ダンパーケース１４にそれぞれ外側から嵌着する。
このようにして、上記の便座５および便蓋６の蝶着機構では、緩衝作用を必要としない場合であっても、便座装置本体４への便座５および便蓋６の取付け作業または取外し作業を容易に行うことができる。
【００１８】
このとき、便座５の右側の軸受けブラケット１０の角軸孔２８には右側の軸ピン部材２４の角筒部２７が密嵌しており、便座５の左側の軸受けブラケット１０の丸軸孔２９には左側の軸ピン部材２４の角筒部２７が回転自在に嵌着されている。
また、便蓋６の左側の軸受けブラケット１２の角軸孔３１には左側の軸ピン部材２４の角筒部２７が密嵌しており、便蓋６の右側の軸受けブラケット１２の丸軸孔３０には右側の軸ピン部材２４の角筒部２７が回転自在に嵌着されている。
【００１９】
このように上記の便座５および便蓋６の蝶着機構では、左右一対のダンパー部材２２と軸ピン部材２４がそれぞれ別部材なので、緩衝作用を必要としない場合には、該左右一対のダンパー部材２２を該ヒンジ部３から取り外せばよく、該ダンパー部材２２の代わりに回転軸となる専用の部材を別途準備する必要がない。
【００２０】
上記のような便座５および便蓋６の蝶着機構において緩衝作用を必要としない場合であって、その上、便座装置本体４に便座５のみを取り付ける場合には、図１０に示すように、該便座装置本体４のヒンジ部３のダンパーケース１４の左右一対の収容凹部１３に左右一対のダンパー部材２２を取り付けることなく、該ダンパーケース１４にカバー１５を覆着し、該便座装置本体４のヒンジ部３と左右一対の軸受け部８との間に便座５の左右一対の軸受けブラケット１０をそれぞれ嵌着して、最後に、左右一対の軸ピン部材２４を、該軸受け部８、該便座５の軸受けブラケット１０を介して、該ダンパーケース１４にそれぞれ外側から嵌着する。
このようにして、上記の便座５および便蓋６の蝶着機構では、緩衝作用を必要としない場合であって、便座装置本体４に便座５のみを取り付ける場合であっても、便座装置本体４への便座５の取付け作業または取外し作業を容易に行うことができる。
【００２１】
このとき、図１０に示すように、便蓋６を取り外した分だけ軸ピン部材２４を押し込むことにより、該軸ピン部材２４の先端の係止爪部２６が該収容凹部１３および該カバー１５の内側係止リブ１６に係止し、該軸ピン部材２４が左右外側に抜け出るのを防止することができる。
そして、便蓋６を取り外した分だけ軸ピン部材２４を押し込むことができるので、軸受の部分に隙間が生じることがなく、便蓋６の取付けのがたつきが起こることがなく、その上、外観上の見栄えも良好である。
【実施例２】
【００２２】
図１１および図１２には他の実施例が示される。
和式便器（図示せず）の上に据え付けられる和式便器用椅子３２は、上面後端部に実施例１と同様のヒンジ部３を有する上側本体３３と、該上側本体３３が載置されるとともに和式便器の上に据え付けられる下側本体３４と、該上側本体３３のヒンジ部３に蝶着される実施例１と同様の便座５と便蓋６とからなる。
該上側本体３３の中央部には開口部３５が設けられており、該開口部３５からは排泄物等の飛散を防止するためのガイド筒部３６が垂設されている（図１２参照）。
【００２３】
本実施例でも、実施例１と同様にして該便座５および該便蓋６が該和式便器用椅子３２の上側本体３３のヒンジ部３に蝶着されており、実施例１と同様の作用効果を奏することができる。
すなわち、上記の便座５および便蓋６の蝶着機構でも、左右一対のダンパー部材２２と軸ピン部材２４がそれぞれ別部材なので、緩衝作用を必要としない場合には、該左右一対のダンパー部材２２を該ヒンジ部３から取り外せばよく、該ダンパー部材２２の代わりに回転軸となる専用の部材を別途準備する必要がない。
また、便蓋６を外して使用する場合には、便蓋６を取り外した分だけ軸ピン部材２４を押し込むことができる。したがって、軸受の部分に隙間が生じることがなく、便蓋６の取付けのがたつきが起こることがなく、その上、外観上の見栄えも良好である。
【００２４】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２５】
本発明は、緩衝作用を必要としない場合にダンパー部材の代わりに回転軸となる専用の部材を別途準備する必要がなく、また、便蓋を外して使用する場合に便蓋の取付けのがたつきが起こることがなく、その上、外観上の見栄えも良好である便座および便蓋の蝶着構造として、産業上利用することが出来る。
【図面の簡単な説明】
【００２６】
【図１】実施例１の便座装置を便器本体に載置した状態を示す斜視図である。
【図２】実施例１の便座装置の分解斜視図である。
【図３】実施例１の蝶着機構（ダンパー部材あり）の分解斜視図である。
【図４】実施例１の蝶着機構（ダンパー部材取り付け状態）の説明斜視図である。
【図５】実施例１の蝶着機構（カバー取り付け状態）の説明斜視図である。
【図６】実施例１の蝶着機構（便座、便蓋取り付け状態）の説明斜視図である。
【図７】実施例１の蝶着機構（便座、便蓋取り付け状態）の説明正断面図である。
【図８】実施例１の蝶着機構（便座、便蓋取り付け状態）の説明側断面図である。
【図９】実施例１の蝶着機構（ダンパー部材なし）の分解斜視図である。
【図１０】実施例１の蝶着機構（便座取り付け状態）の説明正断面図である。
【図１１】実施例２の便器用椅子の斜視図である。
【図１２】実施例２の便器用椅子の分解斜視図である。
【符号の説明】
【００２７】
１  便器本体
３  ヒンジ部
５  便座
６  便蓋
８  軸受け部
１０  便座の軸受けブラケット
１２  便蓋の軸受けブラケット
２１  角棒状の回転軸
２２  ダンパー部材
２４  軸ピン部材
２５  軸ピン部材の角軸孔
２７  角筒部
２８  便座の軸受けブラケットの角軸孔
２９  便座の軸受けブラケットの丸軸孔
３０  便蓋の軸受けブラケットの丸軸孔
３１  便蓋の軸受けブラケットの角軸孔
３２  便器用椅子
【図１】
2006094997.tif 000003
【図２】
2006094997.tif 000004
【図３】
2006094997.tif 000005
【図４】
2006094997.tif 000006
【図５】
2006094997.tif 000007
【図６】
2006094997.tif 000008
【図７】
2006094997.tif 000009
【図８】
2006094997.tif 000010
【図９】
2006094997.tif 000011
【図１０】
2006094997.tif 000012
【図１１】
2006094997.tif 000013
【図１２】
2006094997.tif 000014